(57)【特許請求の範囲】
【請求項１】
合成樹脂管の外周面に当接するように配設される切削刃と、この切削刃を合成樹脂管の外周面に沿って周方向および管軸方向に走行させる送り手段と、合成樹脂管を切削可能に保持する保持手段とを備えて、継手が連結される合成樹脂管の連結部の外周面を切削加工する合成樹脂管用スクレーパーであって、
本体フレームには、合成樹脂管の外周面に沿うように管軸方向と平行に延びるアームが設けられ、
このアームには、前記切削刃と、合成樹脂管の連結部端面に当接しうるストッパ部材と、前記切削刃を合成樹脂管の外周面から離間させる切削刃後退手段とが備えられ、
前記ストッパ部材は、合成樹脂管の管軸方向に位置調整可能に設けられて、合成樹脂管の管軸方向の切削長さに合わせて配設され、
切削加工時に、前記切削長さ分の切削が終了すると、合成樹脂管の連結部端面が前記ストッパ部材に当接するとともに前記切削刃後退手段が合成樹脂管とアームとを離間させて前記切削刃を合成樹脂管の外周面から離間させ、切削を停止させることを特徴とする合成樹脂管用スクレーパー。
【請求項２】
請求項１に記載の合成樹脂管用スクレーパーにおいて、
前記切削刃後退手段は、前記ストッパ部材に接続する押圧部を備え、この押圧部が合成樹脂管の外周面を径方向に押圧することにより、前記アームの切削刃を合成樹脂管の外周面から離間させることを特徴とする合成樹脂管用スクレーパー。
【請求項３】
請求項１に記載の合成樹脂管用スクレーパーにおいて、
前記アームは付勢手段を備えて合成樹脂管から離間する方向に付勢されるとともに、前記本体フレームには、前記アームを合成樹脂管の管軸方向と平行に固定する固定ピンおよび固定ピンの係止部が備えられ、
前記切削刃後退手段は、前記ストッパ部材に接続する固定解除部を備え、この固定解除部が前記係止部に係止している固定ピンを該係止部から外すように移動し、前記アームを合成樹脂管から離間させるとともに前記切削刃を合成樹脂管の外周面から離間させることを特徴とする合成樹脂管用スクレーパー。
【請求項４】
合成樹脂管の外周面に当接するように配設される切削刃と、この切削刃を合成樹脂管の外周面に沿って周方向および管軸方向に走行させる送り手段と、合成樹脂管を切削可能に保持する保持手段とを備えて、継手が連結される合成樹脂管の連結部の外周面を切削加工する合成樹脂管用スクレーパーであって、
本体フレームには、合成樹脂管の外周面に沿うように管軸方向と平行に延びるアームが設けられ、
このアームには、前記切削刃と、合成樹脂管の連結部端面に当接しうるストッパ部材と、前記切削刃を合成樹脂管の外周面から離間させる切削刃後退手段とが備えられ、
前記ストッパ部材は、合成樹脂管の管軸方向に位置調整可能に設けられて、合成樹脂管の管軸方向の切削長さに合わせて配設され、
切削加工時に、前記切削長さ分の切削が終了すると、合成樹脂管の連結部端面が前記ストッパ部材に当接するとともに前記切削刃後退手段が前記切削刃をアーム内に収納して合成樹脂管の外周面から離間させ、切削を停止させることを特徴とする合成樹脂管用スクレーパー。
【請求項５】
請求項４に記載の合成樹脂管用スクレーパーにおいて、
前記切削刃後退手段は、一方が前記ストッパ部材に接続し、他方が前記切削刃に接続したスライダを備え、前記ストッパ部材に合成樹脂管の連結部端面が当接することにより前記スライダが管軸方向にスライドし、これに連動して前記切削刃が前記アーム内に引き込まれて収納されることを特徴とする合成樹脂管用スクレーパー。
【発明の詳細な説明】
【技術分野】
【０００１】
本発明は、合成樹脂管、特にポリエチレン管やポリプロピレン管などの樹脂管と継手とを融着させるに先だって、融着しやすいようにその管端部の外表面を切削するための合成樹脂管用スクレーパーに関する。
【背景技術】
【０００２】
近年、給排水用やガス用等の配管には、腐食や地震に強く、施工性に優れたポリエチレン管などの合成樹脂管が多く用いられている。この種の合成樹脂管を連結する方法としては、エレクトロフュージョン（電気融着）継手（ＥＦ継手）を用いて、樹脂管の端部外周面と、継手の内面とを加熱溶融して接合する融着接合が一般的に行われている。
【０００３】
このようなＥＦ継手による樹脂管の連結接合の場合、気密性や強度等の継手の品質を確保するために、融着する面の汚れや表面変質層を除去するという前工程が必要になる。このため、接合作業前にあらかじめ、樹脂管の端部近傍の外表面を薄く切削する（スクレープ）加工を行っていた。
【０００４】
このスクレープを行うための工具として、例えば特許文献１には、樹脂管の外面でスクレーパー本体を支持し、切削刃を樹脂管の表面に食い込ませながら周回させて削り取る構成のスクレーパーが提案されている。このスクレーパーは、スクレーパー本体を開閉自在とし、一方の部材側にはその刃先が対向するようにしてブレードを取り付け、他方の部材側にはスクレーパー本体を回転させると管軸に対して支軸の角度が変わるウォームギアーを取り付けて、このウォームギアーの傾斜角により自動送りがかかる仕組みになっている。
【０００５】
また、特許文献２には、スクレープと同時に管端面のバリを除去する面取り可能なスクレーパーが開示されている。このスクレーパーも、樹脂管の外周面でスクレーパー本体を支持し、切削刃を管表面に食い込ませながら周回させて、樹脂管の表面を削り取るように構成されている。
【特許文献１】特開平６−１７９１１８号公報
【特許文献２】特開平１１−３５１４８４号公報
【発明の開示】
【発明が解決しようとする課題】
【０００６】
上記のようなスクレーパーは、スクレーパー本体の内側に切削刃があるために、樹脂管の切削面や切削状態を視認しにくく、管軸方向に所定の長さ分だけ切削するのに、長さが不足したり、逆に削り過ぎたりしてしまうおそれがあり、十分に注意して切削加工を行わなければならなかった。
【０００７】
樹脂管の切削長さが不足すると、樹脂管を取り外して不足分の長さを確認し、もう一度スクレーパー本体に樹脂管をセットし直してから不足分を切削する作業が必要になり、手間がかかる。また、切削長さよりも樹脂管を切削しすぎてしまうと、継手との接続状態の目安となる樹脂管表面の挿入標線までも除去されてしまい、再度、この挿入標線をマーキングするなどの作業が必要になって、作業性を低下させてしまう問題点があった。
【０００８】
そこで本発明は、従来のスクレーパーの持つ問題点を解消し、樹脂管の端部外表面を過不足なく削ることを容易にし、樹脂管同士の接続作業性を効率よく進めることのできる合成樹脂管用スクレーパーを提供するものである。
【課題を解決するための手段】
【０００９】
上記した目的を達成するため、本発明は、合成樹脂管の外周面に当接するように配設される切削刃と、この切削刃を合成樹脂管の外周面に沿って周方向および管軸方向に走行させる送り手段と、合成樹脂管を切削可能に保持する保持手段とを備えて、継手が連結される合成樹脂管の連結部の外周面を切削加工する合成樹脂管用スクレーパーであって、本体フレームには、合成樹脂管の外周面に沿うように管軸方向と平行に延びるアームが設けられ、このアームには、前記切削刃と、合成樹脂管の連結部端面に当接しうるストッパ部材と、前記切削刃を合成樹脂管の外周面から離間させる切削刃後退手段とが備えられ、前記ストッパ部材は、合成樹脂管の管軸方向に位置調整可能に設けられて、合成樹脂管の管軸方向の切削長さに合わせて配設され、切削加工時に、前記切削長さ分の切削が終了すると、合成樹脂管の連結部端面が前記ストッパ部材に当接するとともに前記切削刃後退手段が合成樹脂管とアームとを離間させて前記切削刃を合成樹脂管の外周面から離間させ、切削を停止させるように構成されている。
【００１０】
上記の構成に係る合成樹脂管用スクレーパーにおいては、前記切削刃後退手段は、前記ストッパ部材に接続する押圧部を備え、この押圧部が合成樹脂管の外周面を径方向に押圧することにより、前記アームの切削刃を合成樹脂管の外周面から離間させるように構成されてもよい。
【００１１】
また、上記の構成に係る合成樹脂管用スクレーパーにおいては、前記アームは付勢手段を備えて合成樹脂管から離間する方向に付勢されるとともに、前記本体フレームには、前記アームを合成樹脂管の管軸方向と平行に固定する固定ピンおよび固定ピンの係止部が備えられ、前記切削刃後退手段は、前記ストッパ部材に接続する固定解除部を備え、この固定解除部が前記係止部に係止している固定ピンを該係止部から外すように移動し、前記アームを合成樹脂管から離間させるとともに前記切削刃を合成樹脂管の外周面から離間させるように構成されてもよい。
【００１２】
また、上記した目的を達成するために、本発明は、合成樹脂管の外周面に当接するように配設される切削刃と、この切削刃を合成樹脂管の外周面に沿って周方向および管軸方向に走行させる送り手段と、合成樹脂管を切削可能に保持する保持手段とを備えて、継手が連結される合成樹脂管の連結部の外周面を切削加工する合成樹脂管用スクレーパーであって、本体フレームには、合成樹脂管の外周面に沿うように管軸方向と平行に延びるアームが設けられ、このアームには、前記切削刃と、合成樹脂管の連結部端面に当接しうるストッパ部材と、前記切削刃を合成樹脂管の外周面から離間させる切削刃後退手段とが備えられ、前記ストッパ部材は、合成樹脂管の管軸方向に位置調整可能に設けられて、合成樹脂管の管軸方向の切削長さに合わせて配設され、切削加工時に、前記切削長さ分の切削が終了すると、合成樹脂管の連結部端面が前記ストッパ部材に当接するとともに前記切削刃後退手段が前記切削刃をアーム内に収納して合成樹脂管の外周面から離間させ、切削を停止させるように構成されてもよい。
【００１３】
上記の構成に係る合成樹脂管用スクレーパーにおいて、前記切削刃後退手段は、一方が前記ストッパ部材に接続し、他方が前記切削刃に接続したスライダを備え、前記ストッパ部材に合成樹脂管の連結部端面が当接することにより前記スライダが管軸方向にスライドし、これに連動して前記切削刃が前記アーム内に引き込まれて収納されるように構成されてもよい。
【００１４】
上記の構成に係る合成樹脂管用スクレーパーによれば、合成樹脂管の連結部の外周面の切削加工を、所定の切削長さ分だけ容易に行うことができ、継手を用いて合成樹脂管同士を連結する作業を効率良く進めることができる。
【発明の効果】
【００１５】
上述のように構成される本発明の合成樹脂管用スクレーパーによれば、樹脂管の端部外表面を、所定の切削長さに対して過不足なく切削することが容易に行えるので、継手を用いた樹脂管同士の融着接続作業を効率よく進めることができ、作業性を高めることが可能になる。
【発明を実施するための最良の形態】
【００１６】
以下、本発明に係る合成樹脂管用スクレーパーを実施するための最良の形態について、図面を参照しつつ説明する。
【００１７】
図１は本発明に係る合成樹脂管用スクレーパーの一例を一部破断して示す側面図である。
【００１８】
合成樹脂管用スクレーパー１は、継手を用いて連結される樹脂管３同士の連結部３１の外周面を切削加工するものである。
【００１９】
図１に模式的に示すように、本体フレーム２は、合成樹脂管３を切削可能に保持する保持手段２１と、保持状態の樹脂管３の外周面に当接するように配設される切削刃２２と、この切削刃２２を樹脂管３の外周面に沿って周方向および管軸方向に走行させる送り手段２３とを備えている。
【００２０】
保持手段２１は、樹脂管３の内径に合わせて拡径可能なコア部２１１を備え、このコア部２１１の外側に設けられた当接板２１２が、樹脂管３の連結部３１の内周面に取り付けられて、樹脂管３を保持する構成となっている。
【００２１】
また、本体フレーム２にはコア部２１１と同軸上に延びる回転軸２３１が設けられている。送り手段２３は、この回転軸２３１が回転することによって、自動的に切削刃２２を進めるように構成されている。例示の形態では、本体フレーム２の外側に突設されて回転軸２３１の延長軸上に形成された連結軸部２３２に、電動ドリル等の回転操作治具を連結して、回転軸２３１を任意に回転させられるように構成されている。
【００２２】
本体フレーム２には、保持状態の樹脂管３の外周面に沿って管軸方向と平行になるようにアーム２４が延設されている。切削刃２２は、このアーム２４の先端部に備えられており、薄肉切削用のバイトが用いられている。
【００２３】
さらに、本体フレーム２のアーム２４には、樹脂管３の連結部３１端面に当接しうるストッパ部材２５が、保持状態の樹脂管３の管軸方向に沿って設けられたスリット２４１により、位置調整可能に配設されている。また、ストッパ部材２５は切削加工中の樹脂管３の連結部３１端面に当接可能なように、アーム２４から垂下して設けられている。
【００２４】
さらに、本体フレーム２のアーム２４には、樹脂管３の外周面に当接している切削刃２２を樹脂管３の外周面に対して後退させる作用をなす切削刃後退手段２６が設けられている。切削刃後退手段２６は、切削加工時に、樹脂管３の連結部３１端面とストッパ部材２５とが当接するのに連動して、樹脂管３の外周面に当接している切削刃２２を樹脂管３の外周面に対して後退させるように設けられている。
【００２５】
したがって、このストッパ部材２５を樹脂管３の管軸方向の切削長さに合わせて配設することによって、樹脂管３の切削が、設定した切削長さ分だけ終了すると、切削刃２２が自ら樹脂管３の外周面から離間して切削が停止する仕組みとなっている。
【００２６】
このような合成樹脂管用スクレーパー１は、樹脂管の融着接続の作業現場において用いられるものであるため、軽量であり、かつ堅牢であることが好ましい。このため、本体フレーム２を構成する主要部材の材質としては、アルミニウム、ジュラルミン等の軽量の金属類が用いられることが望ましい。また、切削刃２２は例示したようなバイトであってもよいし、螺旋回転刃であってもよく、合成樹脂管の外表面を薄く切削可能な鋼製刃物であればどのようなものであってもよい。
【００２７】
合成樹脂管用スクレーパー１の使用にあたっては、まず継手により接合する樹脂管３の連結部３１の外周面に、挿入標線をマーキングする。樹脂管３の表面にキズや凹み等がある場合は、その部分を除去するとともに表面の汚れを取り除く。
【００２８】
次に、樹脂管３の連結部３１を、アーム２４と管軸方向とが平行になるように本体フレーム２の保持手段２１にセットする。樹脂管３の内側にはコア部２１１を挿入し、拡径させて取り付ける。また、樹脂管３の挿入標線の手前までが切削長さとなるように、ストッパ部材２５を管軸方向に位置調整する。
【００２９】
そして最後に、電動ドリル等の回転操作治具を連結軸部２３２に連結し、切削を開始する。これにより、樹脂管３の連結部３１の外周面の切削加工を、所定の切削長さ分だけ行うことが容易であり、その後の樹脂管３の連結作業も効率良く進めることができるようになっている。
【実施例１】
【００３０】
次に、本発明に係る合成樹脂管用スクレーパーの実施例１について、図面を参照しつつ説明する。
【００３１】
なお、以下に説明する実施例１〜３の合成樹脂管用スクレーパー１は、本体フレーム２の切削刃後退手段２６にそれぞれ特徴を有し、この切削刃後退手段２６による切削刃２２の後退のさせ方が異なるので、かかる特徴的構成について詳述し、その他の基本構成については前記説明中における符号と共通の符号を用いてその説明の重複を避けることとする。
【００３２】
図２、図３は本発明の合成樹脂管用スクレーパー１の実施例１を模式的に示した説明図である。
【００３３】
この形態に係る合成樹脂管用スクレーパー１の本体フレーム２のアーム２４は、樹脂管３の外周面に沿って管軸方向と平行に延設されており、このアーム２４に切削刃２２および切削刃後退手段２６が備えられている。
【００３４】
本実施例では、切削刃後退手段２６は、樹脂管３の外周面からアーム２４を離間させることによって、切削刃２２が樹脂管３の外周面から離間し、切削を停止させるように構成されている。
【００３５】
切削刃後退手段２６は、ストッパ部材２５に接続した押圧部２６１を備えている。図示するように、アーム２４に垂下したストッパ部材２５の基端部側には、樹脂管３の管軸方向に沿うように配設されたレバー２６２が接続されており、このレバー２６２の他端部に押圧部２６１が設けられている。
【００３６】
そして、図３に示すように、樹脂管３の連結部３１端面とストッパ部材２５とが当接すると、ストッパ部材２５の自由端側がアーム２４の基部方向に押されて、レバー２６２が傾く。これにより、押圧部２６１が樹脂管３の外周面を径方向に押圧することになり、アーム２４と樹脂管３とを離間させて、切削刃２２を樹脂管３の外周面から離間させる作用をなす。
【００３７】
このため、ストッパ部材２５を樹脂管３の管軸方向の切削長さに合わせて配設するだけで、設定した切削長さ分だけ樹脂管３の切削が終了すると同時に、切削刃２２が樹脂管３の外周面から離間して、切削加工を停止させることが可能となっている。
【実施例２】
【００３８】
次に、本発明に係る合成樹脂管用スクレーパーの実施例２について、図面を参照しつつ説明する。図４、図５は本発明の合成樹脂管用スクレーパーの実施例２を模式的に示した説明図である。
【００３９】
合成樹脂管用スクレーパー１のアーム２４は、樹脂管３の外周面に沿って管軸方向と平行に延設されており、このアーム２４に切削刃２２および切削刃後退手段２６が備えられている。また、切削刃後退手段２６は、樹脂管３の外周面からアーム２４を離間させることによって、切削刃２２が樹脂管３の外周面から離間し、切削を停止させるように構成されており、かかる点は実施例１と同様である。
【００４０】
本実施例では、アーム２４は本体フレーム２に対して、ピン２４２が係止部２４３に係止した状態で、樹脂管３の外周面に沿って管軸方向と平行となるように延設されている。すなわち、アーム２４が適宜の付勢手段を備えて、この付勢手段により樹脂管３から離間する方向に付勢されている。そして、ピン２４２が係止部２４３に係止してアーム２４を固定していることによって、アーム２４と本体フレーム２とが互いに直交した状態に保たれている。
【００４１】
このように構成されたアーム２４に対し、切削刃後退手段２６は、ストッパ部材２５に接続された固定解除部２６３を備えている。図示するように、ストッパ部材２５には、アーム２４の基部方向（図中右方向）に延設するレバー２６４が接続されており、このレバー２６４の他端部がピン２４２に近接して配置され、固定解除部２６３をなしている。
【００４２】
これにより、図５に示すように、樹脂管３の連結部３１端面とストッパ部材２５とが当接すると、ストッパ部材２５の自由端側がアーム２４の基部方向に押され、これに連動してレバー２６４がアーム２４の基部方向に移動する。続いて、レバー２６４端部の固定解除部２６３がピン２４２を押すことで回転させ、ピン２４２を係止部２４３から外す。これによってアーム２４の固定が解除される。その結果、付勢されているアーム２４が樹脂管３から離間し、切削刃２２が樹脂管３の外周面から離間することになる。
【００４３】
したがって、ストッパ部材２５を樹脂管３の管軸方向の切削長さに合わせて配設するだけで、設定した切削長さ分だけ樹脂管３の切削が終了すると同時に、切削刃２２が樹脂管３の外周面から離間して、切削加工を停止させることが可能な構成となっている。
【実施例３】
【００４４】
次に、本発明に係る合成樹脂管用スクレーパーの実施例３について、図面を参照しつつ説明する。図６、図７は本発明の合成樹脂管用スクレーパーの実施例３を模式的に示した説明図である。
【００４５】
この合成樹脂管用スクレーパー１も、本体フレーム２には、樹脂管３の外周面に沿って管軸方向と平行にアーム２４が延設されており、このアーム２４に切削刃２２および切削刃後退手段２６が備えられている。
【００４６】
本実施例では、切削刃後退手段２６は、アーム２４の先端部に突出した状態の切削刃２２を、アーム２４内に収納することによって、切削刃２２が樹脂管３の外周面から離間して、切削を停止させるように構成されている。
【００４７】
切削刃後退手段２６は、一端がストッパ部材２５に接続して、他端が切削刃２２に接続するように配設されたスライダ２６５を有している。スライダ２６５には、ストッパ部材２５に連動して円滑にスライドしうるように、適宜のスライド部材２６６が設けられている。また、切削刃２２は樹脂管３の外周面から離間する方向に付勢されており、スライダ２６５の他端が切削刃２２を樹脂管３の外周面に近接する方向に押圧することによって、アーム２４から突出して樹脂管３の外周面に当接しうるように構成されている。
【００４８】
図７に示すように、樹脂管３の連結部３１端面とストッパ部材２５とが当接すると、ストッパ部材２５がアーム２４の基部方向（管軸方向）に押されることに連動してスライダ２６５が同方向にスライドする。これにより、切削刃２２がアーム２４内に引き込まれて収納され、樹脂管３の外周面から離間することになる。
【００４９】
したがって、ストッパ部材２５を樹脂管３の管軸方向の切削長さに合わせて配設するだけで、設定した切削長さ分だけ樹脂管３の切削が終了すると同時に、切削刃２２が樹脂管３の外周面から離間して、切削加工を停止させることが可能な構成となっている。
【００５０】
このように、いずれの実施例で示した合成樹脂管用スクレーパー１においても、樹脂管３の連結部３１の外周面の切削加工を、所定の切削長さ分だけ行うことが容易であり、その後の樹脂管３の連結作業も効率良く進めることができるようになっている。
【産業上の利用可能性】
【００５１】
本発明は、合成樹脂管、特にポリエチレン管やポリプロピレン管などの樹脂管と継手とを融着させるに先だって、融着しやすいようにその管端部の外表面を切削するのに好適に利用することができる。
【図面の簡単な説明】
【００５２】
【図１】本発明に係る合成樹脂管用スクレーパーの一例を一部破断して示す側面図である。
【図２】本発明の合成樹脂管用スクレーパーの実施例１を模式的に示した説明図である。
【図３】実施例１における切削刃の動作を模式的に示した説明図である。
【図４】本発明の合成樹脂管用スクレーパーの実施例２を模式的に示した説明図である。
【図５】実施例２における切削刃の動作を模式的に示した説明図である。
【図６】本発明の合成樹脂管用スクレーパーの実施例３を模式的に示した説明図である。
【図７】実施例３における切削刃の動作を模式的に示した説明図である。
【符号の説明】
【００５３】
１      合成樹脂管用スクレーパー
２      本体フレーム
２１    保持手段
２２    切削刃
２３    送り手段
２３１  回転軸
２３２  連結軸部
２４    アーム
２５    ストッパ部材
２６    切削刃後退手段
３      樹脂管
３１    連結部
【図１】
0004704943.tif 000002
【図２】
0004704943.tif 000003
【図３】
0004704943.tif 000004
【図４】
0004704943.tif 000005
【図５】
0004704943.tif 000006
【図６】
0004704943.tif 000007
【図７】
0004704943.tif 000008